(57)【特許請求の範囲】
【請求項１】
連続した記録紙を所望の長さに切断するカッターを備えたプリンタにおいて、
印字部の下流側に配置され前記印字部により印字された前記記録紙の裏面側を規制して記録紙の経路を形成する記録紙案内部材と、
前記記録紙の搬送方向に対し略直交する方向に前記記録紙を切断する刃部を備え、前記記録紙案内部材と対向する側に前記記録紙が通過する隙間を形成して固定されたカッターと、
前記カッターより下流側の前記記録紙と当接する規制端を備え、前記規制端と前記記録紙案内部材との間隔を規制すると共に前記刃部を覆っている待機位置と、前記間隔を前記待機位置より大きく且つ前記刃部により前記記録紙を切断可能な位置に回動可能なカッターカバーと、
前記カッターカバーを前記待機位置方向に付勢するものであって、前記規制端に当接する前記記録紙の位置に対応して前記記録紙紙案内部材と前記規制端との間隔が変化可能とする付勢手段とを有することを特徴とするプリンタ。
【請求項２】
請求項１のプリンタにおいて、
前記付勢手段は自重によるものであることを特徴とするプリンタ。
【請求項３】
請求項１のプリンタにおいて、
前記付勢手段は、ばね部材によるものであることを特徴とするプリンタ。
【請求項４】
請求項１乃至３記載のプリンタにおいて、
前記記録紙案内部材は、前記刃部と待機時における前記カッターカバーの前記規制端との間に前記記録紙を前記刃部側に近づける突部、若しくは前記突部の下流側の立ち上がり部が形成されていることを特徴とするプリンタ。
【発明の詳細な説明】
【０００１】
【産業上の利用分野】
本発明はＥＣＲ等に使用され連続紙を所望の位置で切断するカッター機構を搭載したプリンタに関するものである。
【０００２】
【従来の技術】
この種の従来技術の代表例を図７に示し、これを基に説明する。図７はプリンタの断面説明図であり、ワイヤドットの印字ヘッド３は、印字フレーム２９に平行に配置されたガイド軸１２とガイド軸１４に案内され、記録紙の搬送方向と直交する方向に移動するキャリッジ１３に固定されている。
【０００３】
記録紙は、連続した記録紙がロール状に巻かれたロ−ル紙３０から巻戻されて下部紙案内１５と上部紙案内２６によって形成された隙間により案内されて紙送り駆動部へと導かれる。
【０００４】
紙送り駆動部は、回転を制御された駆動軸に固定された紙送りローラ１７と、紙送りローラ１７に圧接する紙押えローラ１６により構成されており、記録紙はその紙送りローラ１７と紙押えローラ１６により挟持されて搬送され、印字ヘッド３および印字ヘッド３と対向するプラテン１０によって形成された隙間を経て、カッター２３方向に搬送される。
【０００５】
小売り店等の商店で使用されるＥＣＲまたはＰＯＳシステム用のプリンタに使用する記録紙は、印字後にレシートとして使用するために切り取られるレシート紙と、商店の記録として保存しておくジャーナル紙があり、レシートのみを発行する場合は１枚のみの記録紙を使用し、レシート紙の他にジャーナル紙として記録を保存する場合は複写される感圧紙を含む複数枚の記録紙を使用する。複数枚の記録紙を使用する場合は、一番下側の記録紙は巻取軸に巻取られ、その他の記録紙はレシート、伝票等に使用される。
【０００６】
図７の代表例では、上側がレシート紙に使用し下側をジャーナル紙に使用する２枚の記録紙を使用したものである。印字ヘッド３によって印字された記録紙のうちレシート紙５はカッター２３で切断される。
【０００７】
ジャーナル紙４は印字された記録紙にメモや取消線を書き込みできるように記録紙の裏側を書き込み台６の平板部６ａに沿って搬送されケース内に配置された巻取軸１８によって巻取られる。
【０００８】
印字ヘッド３によって印字される印字位置からカッター２３について詳述すると、レシート発行時には所望する最終の印字行が印字された後、最終の印字行がカッター２３の刃部より下流側になるよう記録紙を搬送させて停止し切断されるが、オペレータが入力を終了した後、レシート発行までの時間を短縮するためや、次レシートの上部の空白部分を少なくするために、印字位置とカッター２３の距離は比較的短かく設定されていることが多い。
【０００９】
しかしながら、従来におけるこのような機構は次のような問題点がある。
印字中若しくは記録紙を搬送中に、オペレーターがレシート紙５の先端を持って記録紙の搬送を停止したり、あるいは書き込み台６に押さえつけたりした場合等のように記録紙の搬送を妨げてしまった場合には、印字位置とカッター２３の距離が短く、印字位置とカッター位置の紙出口の間の記録紙の腰が強い為、紙送りピッチが所定量以下となる紙送り不良が発生し、更には印字された上に更に印字する重ね印字が発生し判読できない印字品質不良が発生していた。
【００１０】
又、プラテン面に密着して搬送されている記録紙がプラテン１０から浮き上がり、移動している印字ヘッド３に引っかかり、プラテン１０に記録紙を押し当てているマスク板１１の故障や、記録紙を破いたりする紙ジャムを発生する問題があった。オペレーターが記録紙を移動させて切断するプリンタの場合、オペレーターの取り扱いに起因する問題は、回避できなく大きな問題である。
【００１１】
図８は第２の従来技術を示し、図７の第１の従来技術の上記課題を解決するためのものである。図８に示す従来技術では、カッター２４による切断位置を印字位置から遠くに離し、且つ、印字ヘッド３およびプラテン１０の上方に空間が設けられるようにケースｄ２２の形状を外側に膨らませている。この第２の従来技術での記録紙の搬送を停止した場合を図８、図９を基に説明する。
【００１２】
図９はオペレーターによりレシート紙５の搬送が妨げられた場合を示しているが、印字ヘッド３とレシート紙５の搬送を妨げる位置が離れているので記録紙の腰が弱く、レシート紙５は印字ヘッド３の上部に配置された空間内に弛む。その結果、オペレーターによりレシート紙５の搬送が妨げられたとしても、印字ヘッド３付近での紙送りピッチには影響がなく第１の従来技術で発生した紙送り不良、重ね印字、マスク板の故障、記録紙を破いたりする紙ジャムの問題は発生しない。
【００１３】
しかし、印字ヘッド３によって印字される印字位置からカッター２４によりカットされる距離Ｌが長いため、最終の印字行が切断される切断位置以上になるよう搬送させる時間が長くかかる為、レシート発行処理時間が遅くなる問題がある。
【００１４】
又更に、次のレシートの上部の空白部が長くなり、記録紙の無駄な部分が多くなる問題もある。
【００１５】
又更に、図８および図９に示す従来技術では書き込み台６がケースｄ２２の中にあるため、オペレーターがジャーナル紙に書き込み操作を行うには、前記ケースｄ２２をその都度開けなければならない等操作性が悪い問題もある。
【００１６】
このように、図７に示す第１の従来技術と図８に示す第２の従来技術では、プリンタに搭載されるカッター機構に要求される機能のレシート発行時間の短縮、次レシートの上部空白の節約、書き込み操作の容易さ、およびオペレーターの操作ミスに起因する紙ジャムは、それぞれ相反する特長と欠点を有しており、両立させることができないものであった。
【００１７】
また、図７および図８に示す従来技術に共通して、カッターの刃先は、切断し易いようにケースの開口部側に配置されているので、レシートの切り取り操作や書き込みを行う場合に、オペレーターの手がカッターの刃先に触れて怪我をする可能性がある問題も有していた。
【００１８】
【発明が解決しようとする課題】
本発明はこのような欠点を解決するためになされたものであり、紙ジャムがなく、レシート発行の高速化が図られる等、機能と信頼性の向上したプリンタを供給することを目的とする。
【００１９】
【課題を解決するための手段】
そこで上記課題を解決するため本発明のプリンタは、連続した記録紙を所望の長さに切断するカッターを備えたプリンタにおいて、印字部の下流側に配置され印字部により印字された記録紙の裏面側を規制して記録紙の経路を形成する記録紙案内部材と、記録紙の搬送方向に対し略直交する方向に記録紙を切断する刃部を備え、記録紙案内部材と対向する側に記録紙が通過する隙間を形成して固定されたカッターと、カッターより下流側の記録紙と当接する規制端を備え、規制端と記録紙案内部材との間隔を規制すると共に刃部を覆っている待機位置と、間隔を待機位置より大きく且つ刃部により記録紙を切断可能な位置に回動可能なカッターカバーと、カッターカバーを待機位置方向に付勢するものであって、規制端に当接する記録紙の位置に対応して記録紙紙案内部材と規制端との間隔が変化可能とする付勢手段とを有することを特徴とする。
【００２０】
このように構成した本発明のプリンタによれば、カッタカバーによりオペレーターが搬送を妨げる位置が印字部より離れているので記録紙の腰が弱くその途中で弛む。その弛んだ記録紙は、カッターカバーの規制端に当接し押し上げるが、カッターカバーが更に回動するため記録紙の弛む領域は広がることにより、印字位置の記録紙の搬送を妨げることがないので印字部付近での紙送りピッチには影響がなく紙送り不良、重ね印字、マスク板の故障、記録紙を破いたりする紙ジャムの問題を除去することができる。
【００２１】
又、記録紙をカットする場合には、カッターカバーが回動して、印字部から近い位置に配置されたカッターで切断できるため、最終の印字行が切断される切断位置に搬送させる時間も短く、レシート発行処理時間も速いし、更には、残された記録紙の上端と印字部の間の記録紙は余白部となるが、その余白部を少なくできるため記録紙の使用量を節約できる効果がある。
【００２２】
記録紙に書き込みを行う必要が生じた場合には、カッターカバーを回転させて記録紙案内部材を利用して訂正等を行うこともでき、書き込み操作の終了後は自動的にカッターカバーが待機位置に復帰するので、ケースを開閉する必要もなくその書き込み操作性は向上したものとなる。
【００２３】
又、付勢手段は自重によるものであるので、新たな付勢部材が必要なく、小型化や、部品費、組立費の削減となり廉価な製品の提供に貢献するものである。
【００２４】
更に、付勢手段は、ばね部材によるものであれば、カッターカバーの形状や、その配置に拘らずにその効果を得ることができるので設計の自由度を増すことができる。
【００２５】
又更に、記録紙案内部材は、刃部と待機時におけるカッターカバーの規制端との間に記録紙を刃部側に近づける突部、若しくは突部の下流側の立ち上がり部が形成されていることにより、記録紙は常に突部により屈曲されており、記録紙の搬送を妨げられると記録紙は必ず突部から座屈するので、記録紙の搬送を妨げた場合、印字部の付近での紙送りピッチには影響を確実に除去することができ、更に信頼性が向上するものである。
【００２６】
【実施例】
以下に、本発明の一実施例を図１乃至図４に基づいて説明する。
【００２７】
本例のプリンタは、基本的な構成は従来技術で述べた一般的なシリアルワイヤドットプリンタと同様であり、ワイヤドットがインクリボンを介して記録紙を打撃する印字ヘッドは、記録紙の搬送方向と直行する方向に往復移動するキャリッジに搭載されており、プラテンと印字ヘッドの間を搬送される記録紙に移動しながら文字あるいは画情報を印字するよう構成されたものである。
【００２８】
図１はカッター機構を搭載したプリンタの概略断面説明図であり、図２はカッター機構と印字機構の構成を示す斜視図である。
【００２９】
印字ヘッド３を搭載したキャリッジ１３は、金属の薄板材で形成された印字フレーム２９の両側から垂直に立ち上がっている側壁に、平行に支持されたガイド軸１２およびガイド軸１４に摺動可能に取り付けられている。この印字フレーム２９にはキャリッジ駆動用のモータ、モータに回転される駆動プーリ、従動プーリ、駆動プーリと従動プーリに懸架されキャリッジ１３と係合しているキャリッジ駆動ベルトが配置されており、印字フレーム２９には印字ヘッドを往復移動させる機構が全て配置され印字機構を構成している。（モータ、駆動プーリ、従動プーリ、キャリッジ駆動ベルトは不図示）
金属の薄板材で形成された本体フレーム２８には紙送り機構が搭載されており、詳述すると、樹脂で成形された下部紙案内１５と上部紙案内２６は記録紙の紙経路となる所定の隙間を形成するように本体フレーム２８に取り付けられており、記録紙の挿入口には下部紙案内１５側に回転可能に紙案内入口ローラ２７が回転可能に配置されている。この紙案内入口ローラ２７が記録紙を搬送するときに回転するので、下部紙案内１５の入口部と記録紙の摩擦負荷は大きく軽減され後述する紙送りローラへの負担を軽くしている。
【００３０】
上部紙案内２６にはプラテン１０が圧入されており、本体フレーム２８に取り付けられている。記録紙の経路でプラテン１０の下方には本体フレーム２８に取り付けられ紙送りモータ（不図示）により駆動される送りローラ１７とそれに圧接する紙押えローラ１６が配置されている。
【００３１】
６は記録紙が通過する開口部とプラテン１０が配置される開口部を備え、記録紙の裏面側を案内する書き込み台である。書き込み台６には、ポリカーボネイトで形成された透明なカッター取付台２が取り付けられており、記録紙が書き込み台６とカッター取付台２の間を通過できるように取り付けられている。刃部を備えたカッター１はそのカッター取付台２にネジ止めにより固定されている。
【００３２】
カッター取付台２の左右両端には孔を備えた突起部が設けられており、ポリカーボネイトで形成された透明で、且つ記録紙を書き込み台６方向へ規制する端部７ａを備えたカッターカバー７は、カッター取付台２の突起部間に掛け渡されたカッターカバー軸８に回転可能に取り付けられている。
【００３３】
更に、カッターカバー７は、ねじりコイルバネのカッターカバーバネ９により、矢印Ａ方向にモーメントが常時働いており、カッターカバー７は図１および図２のよう待機位置はカッター１の刃部１ａを覆っている。又、カッターカバー７の待機時の端部７ａと書き込み台６との隙間は、カッター取付台２と書き込み台の隙間より大きく設定されている。
【００３４】
書き込み台６の先端はカッターカバー７が待機位置であっても、カッターカバー７の端部７ａより記録紙の進行方向に書き込みできる平面部があるように形成されている。オペレーターが入力ミス等により印字済みのジャーナル紙４やレシート紙５に書き込みを行う必要が生じた場合には、取消線等訂正の量により、カッターカバー７を回転させ書き込み台６を利用して訂正等を行うこともできる。又、訂正する位置が印字部に近い場合には、カッターカバー７を書き込み台６の上部から回転させて、レシート紙５やジャーナル紙４への書き込み操作を行うこともできる。また、書き込み操作の終了後は自動的にカッターカバー７は待機位置に復帰するため、図８に示す第２の従来技術のような、書き込み操作を行う毎に大きいケースを開閉する必要はない。
【００３５】
このプリンタを収納したケースには、プリンタの後方に記録紙収納室があり、回転可能なロール紙３０と、印字された記録紙のジャーナル紙を巻取る巻取軸１８を含む巻取機構が配置されている。本実施例は、紙送りを行う紙送り機構が配置された本体フレーム２８に印字を行う印字機構が搭載された印字フレーム２９を、プラテン１０に対して印字ヘッド３が平行に移動するようにネジにより固定される。
【００３６】
次に、このように構成されたプリンタの動作について説明する。
本実施例では、記録紙は印字後にレシートとして切り取られるレシート紙と、商店の記録として保存されるジャーナル紙がコピー印字される感圧複写紙を使用している場合を例に説明する。
【００３７】
上側はインクリボンにより転写される記録紙と下側に感圧紙が配置された２層の記録紙は、ロール紙３０から巻戻され、紙案内入口ローラ２７を経て、下部紙案内１５および上部紙案内２６によって形成された隙間にの紙経路に挿入されて紙送りローラ１７と紙押えローラ１６の圧接部に導かれ挟持される。紙送りは紙送りローラ１７が回転されて行われる。
【００３８】
その後、記録紙は書き込み台６の開口部を通り、キャリッジ１３に取り付けられたマスク板１１によってプラテン１０と印字ヘッド３の隙間に案内され、その隙間を通って上方へと搬送される。
【００３９】
上方へ搬送された記録紙はカッター取付台２に配置された広口状のガイド部に当接するが、ガイド部は記録紙の進行方向に対し斜面となっているので記録紙の先端はカッター側へと案内され、カッター取付台２と書き込み台とにより形成された隙間を通りカッター１の下側に搬送される。カッター取付台とカッターカバーを透明であるので、印字部からでてきた紙先端の状況を確認することができ、印字時には印字直後の印字状況を確認できる。又、カッターカバー７は待機位置にある場合には、カッター１を完全に覆っているため、オペレーターはカッター１の刃部に接触することがない。
【００４０】
レシートに使用される上側のレシート紙５はケースカバー２０の上側に搬送され、記録紙の下側の記録紙はジャーナル紙４として使用されるためにケースカバー２０の下側を通り紙送りローラ１７の回転と同期して回転駆動される巻取軸１８に巻取られる。
【００４１】
次に、カッター機構の動作について図３、図４を基に説明する。
図３はオペレーターがレシート紙を切断する場合の説明図であり、図４はオペレーターが記録紙の搬送を妨げた場合の説明図である。印字ヘッド３により所望する印字を終了した後、記録紙は最終行がカッター１の刃部より下流側になるように紙送りローラ１７の回転により所定量紙送りされて停止する。
【００４２】
オペレーターがレシート紙５の先端を掴み記録紙の搬送方向に対し略直角の矢印Ｂ方向に引き上げると、レシート紙５がカッターカバー７の端部７ａを押し上げるので、回動可能に支持されたカッターカバー７はカッターカバーバネ９のモーメントに抗して回動する。カッターカバー７の回動角が角α回転すると、レシート紙５がカッター１の刃部と当接し、更にレシート紙５を矢印Ｂ方向に引っ張ると、レシート紙５はカッター１により切断される。レシート紙５が切断された後は、カッターカバー７はカッターカバーバネ９により待機位置に復帰する。
【００４３】
カッターカバーバネ９のモーメントは前述の説明のように、レシート紙５を切り取る場合にはレシート紙を破ることなく、又、記録紙の弛み現象によって簡単にカッターカバー７を押し上げられる程度であり、且つカッターカバー７を待機状態に保つモーメントの設定になっている。
【００４４】
次に、オペレーターがレシート紙の搬送中に掴んだり、書き込み台６に押さえてしまった場合のように、記録紙の搬送を妨げた場合について説明する。
【００４５】
搬送中の記録紙の搬送を妨げると、記録紙はカッターカバー７により搬送を妨げられる位置が印字位置から離れているので記録紙の腰は弱く、更には、書き込み台６とカッター取付台２との隙間より書き込み台６とカッターカバー７の端部７ａの隙間が広いので、図４のように記録紙は、カッター１の後方で書き込み台６の上方に弛み、弛む量が多くなった場合には、レシート紙５が端部７ａを押し上げてカッターカバー７を回動させる。このようにカッターカバー７の回動により、書き込み台の上方に大きな空間ができるので、弛んだ記録紙はその空間部で吸収される。
【００４６】
その結果、印字ヘッド３やプラテン１０の付近で印字中の記録紙には影響を与えなく、紙送りローラによる紙送りピッチは所定量で送られるので、紙送り不良や印字された上に更に印字される重ね印字は発生しなく印字品質は低下することはない。
【００４７】
更には、記録紙がプラテン１０から浮くこともないので、記録紙の搬送方向と直行する方向に移動しているキャリッジ１３や印字ヘッド３に引っかかることもないので、従来発生していたマスク板の故障や、記録紙を破いたりする紙ジャムを発生する問題は発生しない。従って、紙ジャムがないので、レシート紙５を引き出せば折り畳まれた記録紙が解かれて、通常にレシートとして使用可能である。
【００４８】
次に、本発明の第２の実施例を図５および図６に基づいて説明する。
【００４９】
図５は第２の実施例の概略断面説明図であり、図６は書き込み台の斜視説明図である。第２の実施例は第１の実施例の書き込み台に工夫をしたものであり第１の実施例と同等の部品には同符号を付した。
【００５０】
書き込み台６の一部には突部である上向きの書き込み台突起部２５を絞り加工により形成している。その位置は書き込み台突起部２５はカッター１の後方でカッターカバー７の下方に位置している。
【００５１】
この状態で、オペレーターがレシート紙５の搬送中に掴んだり、書き込み台６に押さえてしまった場合のように、記録紙の搬送を妨げた場合について説明する。書き込み台６の上面を通過するジャーナル紙４は、書き込み台突起部２５により常にわずかに屈曲しながら搬送される。オペレーターが記録紙の搬送を妨げると、書き込み台突起部２５の立ち上がり部である斜面部２５ａによりレシート紙５は上方に屈曲され、レシート紙５はカッター１の刃部の下流側で屈曲させられる。
【００５２】
そのため、記録紙は座屈をおこし易いように書き込み台突起部２５により予めに屈曲されているので、搬送を妨げられたとしても、記録紙は確実に書き込み台突起部２５の個所で座屈して弛み、カッターカバー７を回動させる。従って、実施例２は実施例１に比較し記録紙を所望する個所で弛ませることできるので、更に信頼性が向上するものである。
【００５３】
本実施例では書き込み台突起部２５の断面が三角状の実施例を詳述したが、斜面部のない凸状であっても構わなく、更にその配置される位置は、カッター１の刃部と待機時のカッターカバー７の端部７ａとの間にあるか、若しくはその間に突起部の下流側の立ち上がり部があれば、レシート紙５をカッター１より下流側で屈曲させることができるので、その効果は本実施例と同様に得られるものである。
【００５４】
書き込み台突起部２５の高さについて言及すれば、書き込み台６からの高さは、印字部と書き込み台突起部２５の間の紙経路を形成するカッター取付台２と書き込み台６との隙間より高く設定しているので、記録紙が弛む位置はカッター取付台が形成する紙経路より下流側となるので、更に信頼性が向上するものである。
【００５５】
カッターカバーとケースとの位置関係について述べると、カッターカバー７の待機時に上ケース２１の開口部前縁２１ａとカッターカバーの尾部７ｂとの隙間、及び上ケースとカッターカバー７の側面との隙間をなるべく少なく設定すると、開口部はレシート紙５のためのカッターカバー後方の紙出口を残してカッターカバーに覆われるため、騒音が発生する印字ヘッド３およびプラテン１０付近から直接オペレーターへ直接伝わることがなくカッターカバーで減衰されるので、放射される騒音は減じられ、より静かなプリンタを提供することができる。
【００５６】
本実施例では、カッターカバーの待機位置を保持するためにカッターカバーバネを用いたが、バネをカッター側に具備させて一体成形しても構わないものであり、更には、カッターカバーの自重により常にカッターカバー７の端部７ａと書き込み台との間隔が狭くなるように、カッターカバーの回動支点を記録紙の搬送方向の上流側に配置させてもよい。この場合は付勢部材が少なくなることにより、部品費、組立費の削減となり、製品のコストダウンに貢献するものである。
【００５７】
【発明の効果】
以上説明したように、本発明のプリンタにおいては、印字部の下流側に配置され印字部により印字された記録紙の裏面側を規制して記録紙の経路を形成する記録紙案内部材と、記録紙の搬送方向に対し略直交する方向に記録紙を切断する刃部を備え、記録紙案内部材と対向する側に記録紙が通過する隙間を形成して固定されたカッターと、カッターより下流側の記録紙と当接する規制端を備え、規制端と記録紙案内部材との間隔を規制すると共に刃部を覆っている待機位置と、間隔を待機位置より大きく且つ刃部により記録紙を切断可能な位置に回動可能なカッターカバーと、カッターカバーを待機位置方向に付勢するものであって、規制端に当接する記録紙の位置に対応して記録紙紙案内部材と規制端との間隔が変化可能とする付勢手段とを有することを特徴とする。
【００５８】
このように構成した本発明のプリンタによれば、カッタカバーによりオペレーターが搬送を妨げる位置が印字部より離れているので記録紙の腰が弱くその途中で弛む。その弛んだ記録紙は、カッターカバーの規制端に当接し押し上げるが、カッターカバーが更に回動するため記録紙の弛む領域は広がることにより、印字位置の記録紙の搬送を妨げることがないので印字部付近での紙送りピッチには影響がなく紙送り不良、重ね印字、マスク板の故障、記録紙を破いたりする紙ジャムの問題を除去することができる。
【００５９】
又、記録紙をカットする場合には、カッターカバーが回動して、印字部から近い位置に配置されたカッターで切断できるため、最終の印字行が切断される切断位置に搬送させる時間も短く、レシート発行処理時間も速いし、更には、残された記録紙の上端と印字部の間の記録紙は余白部となるが、その余白部を少なくできるため記録紙の使用量を節約できる効果がある。
【００６０】
記録紙に書き込みを行う必要が生じた場合には、カッターカバーを回転させて記録紙案内部材を利用して訂正等を行うこともでき、書き込み操作の終了後は自動的にカッターカバーが待機位置に復帰するので、ケースを開閉する必要もなくその書き込み操作性は向上したものとなる。
【００６１】
又、付勢手段は自重によるものであるので、新たな付勢部材が必要なく、小型化や、部品費、組立費の削減となり廉価な製品の提供に貢献するものである。
【００６２】
更に、付勢手段は、ばね部材によるものであれば、カッターカバーの形状や、その配置に拘らずにその効果を得ることができるので設計の自由度を増すことができる。
【００６３】
又更に、記録紙案内部材は、刃部と待機時におけるカッターカバーの規制端との間に記録紙を刃部側に近づける突部、若しくは突部の下流側の立ち上がり部が形成されていることにより、記録紙は常に突部により屈曲されており、記録紙の搬送を妨げられると記録紙は必ず突部から座屈するので、記録紙の搬送を妨げた場合、印字部の付近での紙送りピッチには影響を確実に除去することができ、更に信頼性が向上するものである。
【図面の簡単な説明】
【図１】本発明の一実施例を示すプリンタの概略断面図。
【図２】本発明の実施例のカッター機構部と印字機構を示す斜視図。
【図３】本発明のレシート紙の切断時を示す説明図。
【図４】本発明の実施例で記録紙の搬送を妨げた場合の説明図。
【図５】本発明の第２の実施例の書き込み台突起部の説明図。
【図６】本発明の第２の実施例の書き込み台の斜視説明図。
【図７】従来技術の第１の例の断面説明図。
【図８】従来技術の第２の例の断面説明図。
【図９】従来技術の第２の例の記録紙の搬送を妨げた場合の説明図。
【符号の説明】
１    カッター
２    カッター取付台
３    印字ヘッド
４    ジャーナル紙
５    レシート紙
６    書き込み台
７    カッターカバー
８    カッターカバー軸
９    カッターカバーバネ
１０    プラテン
１１    マスク板
１３    キャリッジ
１５    下部紙案内
１６    紙押えローラ
１７    紙送りローラ
２３    カッター
２４    カッター
２５    書き込み台突起部
２６    上部紙案内
２７    紙案内入口ローラ
２８    本体フレーム
２９    印字フレーム
３０    ロール紙
【図１】
0003704746.tif 000002
【図２】
0003704746.tif 000003
【図３】
0003704746.tif 000004
【図４】
0003704746.tif 000005
【図５】
0003704746.tif 000006
【図６】
0003704746.tif 000007
【図７】
0003704746.tif 000008
【図８】
0003704746.tif 000009
【図９】
0003704746.tif 000010